【事件の表示】
　平成　５年特許願第１０６７１３号「情報再生装置」拒絶査定不服審判事件〔平成　６年１１月１５日出願公開、特開平　６−３１８３５８〕について、次のとおり審決する。
【結　論】
　本件審判の請求は、成り立たない。
【理　由】
１．手続の経緯・本願発明
　本件審判の請求に係る特許出願（以下「本願」という。）は、平成５年５月７日に出願されたものであって、本願請求項１に係る発明は、平成17年４月５日付けの手続補正書により補正された明細書の特許請求の範囲の請求項１に記載されたとおりのものと認められるところ、その請求項１に係る発明は以下のとおりである。
　「【請求項１】　２Ｎ数の情報記録媒体を収納し、該情報記録媒体選択再生可能な情報再生装置において、
　収納された情報記録媒体の１乃至Ｎまでの収納位置に対応し、該１乃至Ｎまでの情報記録媒体を選択するためのＮ数の記録媒体選択用キーを備え、
　前記記録媒体選択用キーの操作内容を判別することによって、前記記録媒体選択用キーにより選択される１乃至Ｎまでの収納位置に対応する情報記録媒体か、前記記録媒体選択用キーにより選択される１乃至Ｎに前記Ｎ数を加算したＮ＋１乃至２Ｎまでの収納位置に対応した情報記録媒体かのいずれかを選択することを特徴とする情報再生装置。」（以下「本願発明」という。）
　
　
２．刊行物及びその記載
　原査定の拒絶の理由で引用された刊行物である実願平２−125207（実開平４−86257号）のマイクロフィルム（以下「刊行物１」という。）は、ディスク自動交換装置付き音響装置に関するものであって以下の記載がある。（下線は当審での付与。）
　(1)「〔従来の技術〕    　
　近年、音響装置には従来のレコードに代わり、
ディジタル技術の発達により生まれた直径が小さいコンパクトディスク（以後ＣＤと言う）が接続されるようになってきている。そして、ＣＤはそのコンパクト性からマガジンと呼ばれる小形の収納容器に連装され、この連装されたＣＤの自動交換装置と共に音響装置に接続されて長時間の連続演奏が行なえるようになってきている。
　(2)「以上のように構成された音響装置50では、この
音響装置50と別の場所に設置されたＣＤ自動交換装置内のマガジン内のディスクを選択する際に、目的のＣＤを音響装置50の操作パネル51上のボタン等により直接選択できる「ダイレクトアクセス方式」が採用されていることが多い。
　例えば、第５図に示した従来の
音響装置50においてＣＤを聞く時には、まず、機能ボタン31を押しながらボタン26を押してＣＤを選択する
マガジン内の６枚目のＣＤを選択する際には、第６図に示すようにＣＤの自動交換装置の選択ボタン44を押し、矢印Ｐで示すように番号６の付されたボタン26を押せばマガジン内の６枚目のＣＤが選択され、ＣＤの再生が開始される。このときのＣＤの再生音量は電子ボリューム40にタッチすることにより設定することができる。
　(3)「〔考案が解決しようとする課題〕
　しかしながら、例えば、
マガジン内に10枚のＣＤが内装されているようなＣＤの自動交換装置では、選択ボタン44が少なくとも10個必要であり、マガジン内に収容するＣＤの数だけボタンを用意せねばならず、コスト、スペース的に不利になるという問題点がある。
　従って、本考案はディスク交換装置付き音響装置において、
ディスクをダイレクトに選択できるボタンの数を増大させることなく、音響装置の操作パネル上にディスクの自動交換装置の選択ボタンを配置することにより、コスト的、スペース的に有利なディスク自動交換装置付き音響装置を提供する
　(4)「一方、第１図のディスク自動交換装置付き音響装置において、機能切換制御回路５により電子ボリューム４の機能がＣＤの自動交換装置の選択機能に切り換えられると、第２図(ａ)の出力端子Ｋ３のラインと入力端子Ｉ１のラインの交点に設けられたディスク・オーディオ切換スイッチＤ／Ａが例えばＯＮし、これを制御回路２が検出する。この結果、同じように電子ボリューム４の、例えば、上から６番目の電子ボリューム４にタッチすると、制御回路２はディスクの自動交換装置に装着する指令を出し、表示部41にはそのディスクの番号６をＤＩＳＣ　ＮＯ，６のように表示する。」（11頁13行〜12頁５行）
　(5)「55は第２図(ａ)に示したディスク・オーディオ切換スイッチＤ／Ａに相当するＣＤ／オーディオの切換スィッチである。
　以上のように構成された音響装置60において、
音響装置60と別の場所に設置されたＣＤ自動交換装置内のマガジン内のディスクを「ダイレクトアクセス方式」で選択する際には、先ず機能ボタン31を押しながらボタン26を押してＣＤを選択する。そして、マガジン内の６枚目のＣＤを選択する際には、ＣＤ／オーディオの切換スイッチ55を押す。すると、電子ボリューム40の表示41がＣＤの番号を示すＤＩＳＣ表示になるので、例えば、この状態で電子ボリューム4にタッチして左から６番目の表示器43を点灯させれば、表示41にはマガジン内の６番目のＣＤが選択されたことを示すＤＩＳＣ　Ｎｏ．６が表示される。そして同時にマガジン内の６枚目のＣＤが選択され、ＣＤの再生が開始される。
　
　以上の記載事項及び図面等を総合勘案して整理すると、刊行物１には以下の発明が記載されているものと認める。
  「直径が小さいコンパクトディスクＣＤが接続され、ＣＤはそのコンパクト性からマガジンと呼ばれる小形の収納容器に連装され、連装されたＣＤの自動交換装置と共に音響装置に接続されて長時間の連続演奏が行なえるものであって、音響装置50と別の場所に設置された、マガジン内に10枚のＣＤが内装されているＣＤ自動交換装置内のマガジン内のディスクを選択する際、目的のＣＤを直接選択できる「ダイレクトアクセス方式」が採用されている音響装置50において、
　ＣＤ自動交換装置内のマガジン内のディスクを「ダイレクトアクセス方式」で選択する際には、先ず機能ボタン31を押しながらボタン26を押してＣＤを選択すると共に、マガジン内の６枚目のＣＤを選択する際には、先ず機能ボタン31を押しながらボタン26を押してＣＤを選択、ＣＤ／オーディオの切換スイッチ55を押し、この状態で電子ボリューム4にタッチして左から６番目の表示器43を点灯させ、マガジン内の６番目のCDが選択され、マガジン内の６枚目のCDの再生を開始するようにして、ディスクをダイレクトに、選択できるボタンの数を増大させることなく、ＣＤを選択するディスク自動交換装置付き音響装置。」（以下「刊行物１発明」という。）
　
　同じく原査定の拒絶理由で引用された刊行物である特開平５−68286号公報（以下「刊行物２」という。）は、光ディスクシリモコン装置であって以下の記載がある。
　(6)「【００１４】ここで、上記リモコン部１より機器本体16に対する制御情報として、リモコン部側制御手段５から送信するデータ形式について説明する。このデータ形式は図３に示すように、データ形式１とデータ形式２とがあるが、このデータ形式はリモコン部１の操作キー２ａ，２ｂ，２ｃの押圧操作時に、リモコン部側制御手段５がいずれの形式にするかを判断し生成するものである。データ形式１は、操作キー２の押圧操作時間と同じ時間出力が出る形式のデータであり、したがって
操作キー２ａ，２ｃの各モードにおける複数の機能操作に対応してその押圧回数又は時間による複数の制御情報を生成可能としている。
例えば押圧回数の検出は１秒以内の押圧状態で判断し、１秒以上は「長押し状態」として、その押圧回数と長押し状態の組合せによって複数種類の制御情報を得るようにしている。
　
　
３．対比・判断
　(1)本願発明と刊行物１発明とを対比する。
　 (i)刊行物１発明の「音響装置50と別の場所に設置された、マガジン内に10枚のＣＤが内装されているＣＤ自動交換装置」「直径が小さいコンパクトディスクＣＤが接続され、ＣＤはそのコンパクト性からマガジンと呼ばれる小形の収納容器に連装され、連装されたＣＤの自動交換装置と共に音響装置に接続されて長時間の連続演奏」において、10枚のＣＤが内装されて連続演奏していく構成は複数の情報記録媒体を選択再生可能にしていく情報再生装置であるから、本願発明の「２Ｎの情報記録媒体を収納し、該情報記録媒体選択再生可能な情報再生装置」に相当する。
　 (ii)刊行物１発明の「音響装置50と別の場所に設置されたマガジン内に10枚のＣＤが内装されているＣＤ自動交換装置内のマガジン内のディスクを選択する際、目的のＣＤを直接選択できる「ダイレクトアクセス方式」が採用されている音響装置50」であるが、「ダイレクトアクセス方式」を前提構成として、従来では、「マガジン内に10枚のＣＤが内装されているＣＤの自動交換装置では、選択ボタン44が少なくとも10個必要となる」ものを、選択ボタンを少なくするため、「マガジン内の６枚目のＣＤを選択する際には、先ず機能ボタン31を押しながらボタン26を押してＣＤを選択、ＣＤ／オーディオの切換スイッチ55を押し、この状態で電子ボリューム4にタッチして左から６番目の表示器43を点灯させ、マガジン内の６番目のCDが選択」されるとしている。要するに、各図面を参照していくと、10枚のＣＤのうち操作パネル上には１〜５枚まで選択できるボタンが用意され、６〜10枚は機能ボタンを選択してＣＤ／オーディオの切換スイッチ55を押し、電子ボリューム４にタッチしていくことで目的のＣＤの選択を可能としているものである。これは、上記10枚のＣＤを２Ｎとすれば１〜５枚、６〜10枚の単位で操作手段を切り換えている。そして、ディスクをダイレクトに選択できるボタンの数を増大させることなく、音響装置の操作パネル上にディスクの自動交換装置の選択ボタンを兼用させて配置することで、スペース的に有利なディスク自動交換装置付き音響装置を達成していくものであるから、これは本願発明の「収納された情報記録媒体の１乃至Ｎまでの収納位置に対応し、該１乃至Ｎまでの情報記録媒体を選択するためのＮ数の記録媒体選択用キーを備え」「前記記録媒体選択用キーにより選択される１乃至Ｎに前記Ｎ数を加算したＮ＋１乃至２Ｎまでの収納位置に対応した情報記録媒体かのいずれかを選択」に相当する。
　
　結局のところ、本願発明と刊行物１発明との一致点及び相違点は以下のとおりである。
　
〔一致点〕　
　「２Ｎ数の情報記録媒体を収納し、該情報記録媒体選択再生可能な情報再生装置において、
　収納された情報記録媒体の１乃至Ｎまでの収納位置に対応し、該１乃至Ｎまでの情報記録媒体を選択するためのＮ数の記録媒体選択用キーを備え、
　前記記録媒体選択用キーにより選択される１乃至Ｎまでの収納位置に対応する情報記録媒体か、記録媒体選択用キーにより選択される１乃至Ｎに前記Ｎ数を加算したＮ＋１乃至２Ｎまでの収納位置に対応した情報記録媒体かのいずれかを選択する情報再生装置。」
　
〔相違点〕
　本願発明のものは、１乃至２Ｎ数の記録媒体選択キーであるが「Ｎ数の記録媒体選択用キーの操作内容を判別」することにより、「１乃至Ｎまでの収納位置に対応する情報記録媒体」と「Ｎ＋１乃至２Ｎまでの収納位置に対応した情報記録媒体」を選択するキーは兼用キーとしているが、刊行物１発明のものは、Ｎ＋１乃至２Ｎまでの収納位置に対応した情報記録媒体は１乃至Ｎまでの選択キー手段とは別個に設けた兼用キーで選択している点。
　
〔判断〕
　一つの操作キーの操作内容を判別して複数種類の制御情報を得ようとすることは上記刊行物２に記載されている。また、１つのキー操作の内容を判別して記録媒体の収納位置箇所の２つのうちのいずれかを選択していくことも、先の拒絶理由で先行技術文献調査結果の記録として記載した特開平５−198065号公報（【０００６】【０００７】【００１３】【００２０】【００２１】等参照）において周知の構成であるから、上記刊行物１発明のものにおいても、10枚のうち操作パネル上には１〜５枚まで選択できるボタンが用意され、６〜10枚は機能ボタンを押しながらボタン26を押してＣＤを選択し、ＣＤ／オーディオの切換スイッチ55を押し、電子ボリュームにタッチしていくことで目的のＣＤの選択を可能として、上記10枚を２Ｎとすれば１〜５枚、６〜10枚でＣＤ選択の操作手段を切り換えていることから、スペース的に有利なディスク自動交換装置付き音響装置を達成していく観点から、上記刊行物２、及び、周知技術を適宜採用し、情報記録媒体を選択する手段を「Ｎ数の記録媒体選択用キーの操作内容を判別することによって」、「１乃至Ｎまでの収納位置に対応する情報記録媒体」と「Ｎ＋１乃至２Ｎまでの収納位置に対応した情報記録媒体」を選択する兼用キーとすることは当業者が容易に想到できるものである。
　
　
４．むすび
　以上のとおり、本願発明は、刊行物１に記載された発明、刊行物２及び周知技術に基づき当業者が容易に発明をすることができたものであるから、特許法第２９条第２項の規定により特許を受けることができない。
　
　よって、結論のとおり審決する。